(57)【要約】【課題】小屋裏通気に適した換気効率のよい自然通気用の換気口体を提供する。【解決手段】壁面取り付け時に外部露出する部分である外枠板と、該枠板に固着されるとともに壁部内に位置する部分である内枠板よりなる換気口体において、外枠板上部に上部通気口を外枠板下部に下部通気口を各々有するとともに、上部通気口における通気断面面積に対し下部通気口の通気断面面積を小としたことを特徴とする。【選択図】      図６
2007071522.tif 000002
【特許請求の範囲】
【請求項１】
壁面取り付け時に外部露出する部分である外枠板と、該枠板に固着されるとともに壁部内に位置する部分である内枠板よりなる換気口体において、外枠板上部に上部通気口を外枠板下部に下部通気口を各々有するとともに、上部通気口における通気断面面積に対し下部通気口の通気断面面積を小としたことを特徴とする換気口体。
【発明の詳細な説明】
【技術分野】
【０００１】  この発明は、住宅等の小屋裏にたまる湿気や熱気を外部に排出するために、軒裏などに設ける換気口体に関する。
【背景技術】
【０００２】  従来より、住宅等には室内換気のための換気口が装備されているが、自然換気口としては家屋の外壁の比較的高所の位置に形成した換気口を下向きに開口したフード本体で覆う形式のものが大半であり、本発明にて示すように、上下部に通気口を有するとともにこれらの通気口サイズを異なったものとした換気口体は現在のところ見当たらない。
【発明の開示】
【発明が解決しようとする課題】
【０００３】  一般住宅において、屋根材が真夏の直射日光を受けると１００度近くになり、小屋裏も７０〜８０度までになり、小屋裏建材に悪影響を及ぼすこととなる。また、天井構造体が加熱されて室温上昇となる。冬季には天井断熱が不十分であると小屋裏に室内空気が上昇し、屋根材で冷却されて小屋裏が換気不足であると結露し、天井にシミができ、水滴落下となる。しかるに、前記した従来の換気口は雨や雪対策のために下向き開口であるため、暖かい空気が室内上部にたまりやすく、自然通気の不足が多いという問題があった。
本発明は、以上のような従来からの換気口とくに小屋裏に設けた換気口に関わる課題を解決するために発明されたもので、良好なる自然換気を可能とする新規かつ有用なる換気口体を提供することを目的として開発されたものである。
【課題を解決するための手段】
【０００４】  課題を解決する手段として本発明は、上下部に通気口を有する外枠板に内枠板を設けてその主要部を構成した。
すなわち、壁面取り付け時に外部露出する部分である外枠板と、該枠板に固着されるとともに壁部内に位置する部分である内枠板よりなる換気口体において、外枠板上部に上部通気口を外枠板下部に下部通気口を各々有するとともに、上部通気口における通気断面面積に対し下部通気口の通気断面面積を小とする。本発明は以上の構成よりなる換気口体である。
【発明の効果】
【０００５】  本発明によれば、屋外に露出している外枠板上下に通気口を有し、かつ上部通気口サイズを下部通気口サイズより大としたため、外枠内の通気が円滑に行われてこれに伴う室内空気の排出が良好となり、小屋裏の結露、雨漏り、すが漏り等を防止し、また室内温度と外気温度との差を低下させ、エアコンの消費電力低下にもつながる有用なる物品を提供することができる。
【発明を実施するための最良の形態】
【０００６】  以下、本発明の実施形態について説明する。
図において、１はステンレス板折曲により形成される外枠板で、正面視四角状であるとともにその上下および背面に開放部分を有し、左右側面下部は背面に向かうにつれて下端が上昇する斜方形状に形成される。２は背板で、枠板内面に固着される長方形板体であり、その中央は円形に切除され、該背板の上下端を枠板より上下に突出して設けられる。
３は仕切板で、平面視略コ字形の板体であり、その両端を外枠板上部内面に固着して位置しており、仕切板上端と外枠板上端は一致している。４は上板で、側面視略Ｌ字形板体で、その折曲した上端を背板上端に一致させるとともに、全体を外枠板上端位置と一致させて背板内面に固着される。以上の外枠板と仕切板および上板の各々の間隙にて上部通気口２０が形成される。５は下板で、側面視変形コ字形の板体で、その下端を外枠板側面下端に一致させて外枠板内面に固着される。この下板前部と外枠板前部内面間には間隙が形成され、この間隙にて下部通気口２１が形成される。
６は筒体よりなる内枠板で、鍔部を有する中空円筒体であり、筒部中央を背板の円形切除部７の中央に一致させて鍔部が背板外面に固着される。この筒体の筒部端はその下部を残して切除され、また筒部外周適所には突片９が三等配に突設される。この突片は筒部をコ字形に打ち抜いて突出した板体を一部折曲して形成され、外圧にて弾力を有して変形が可能である。１０は長方形状の金網で、背板の円形切除部を覆うように背板内面に固着される。１１は背板上下端近傍に穿設される小孔による取り付け孔である。【０００７】  本発明を使用するには、壁面に設けた貫通孔に外部より内枠板を挿入し、取り付け孔にてビス止めする。このとき突片の変形による弾力にて筒体は壁内に押圧保持される。
これが図６の状態であり、壁面内部には市販の内側筒体を挿入保持させる。この状態において、家屋壁面外部に当たる風は外壁面に沿って上昇する動きがあるため、下部通気口より外枠内に流入し上部通気口より抜けるが、前記のように上部通気口の通気断面面積は下部通気口の通気断面面積より大であるため、外枠内通気が円滑に行われる。従って、室内側よりも速い速度で上昇することとなり、外枠内の気圧は室内側の気圧より低圧となって室内空気は内筒より外枠内へと流入して上部通気口より排出される。
この方式では記述の従来換気口と異なって上下に開口を有するため、室内から流出する空気の流動が促進され、高い換気効率を得ることができる。
実験によれば、上部通気口面積と下部通気口面積の比を適宜に選択することが肝要で、上部通気口面積を１とすると下部通気口面積は０．３〜０．４５の範囲にするのがよく、さらに好ましくは０．３５〜０．３９の範囲が良好な結果が得られる。
また本例では上部通気口形成部材に上板と仕切板を用いている。上板は外部からの雨や雪の侵入や風の吹き込みを緩和するためのものであり、仕切板は上部通気口からの小鳥等の侵入を防止するためのものであって、外枠板上部に１２〜１５ｍｍ以上の間隙が生じないよう配慮されている。また、下板も同様に小鳥の侵入を防止するよう下部通気口サイズを規定しているが、図示のように下板は傾斜して設けられているため外枠内に侵入した雨・雪はこの傾斜に沿って下方移動し、下部通気口より落下させることができる。
さらに、内枠板には非切除部が形成されており、ここが水返しの作用となって雨・雪などの室内への侵入が防止される。なお、金網を設けているために、虫や塵の侵入も防止することができる。
以上、本発明について記したが、図示は実施の一例であり、近似の他の形状の構造物としてもよい。以上のごとく、本発明にて小屋裏換気に用いて良好なる換気効率のよい自然換気のための換気口体を得ることができる。
【図面の簡単な説明】
【０００８】
【図１】本発明の平面図
【図２】本発明の正面図
【図３】本発明の右側面図
【図４】本発明の背面図
【図５】Ａ−Ａ断面図
【図６】本発明の使用状態説明図
【符号の説明】
【０００９】  １  外枠板
２  背板
３  仕切板
４  上板
５  下板
６  内枠板
７  円形切除部
８  非切除部
９  突片
１０金網
１１取り付け孔
２０上部通気口
２１下部通気口
２２壁部貫通孔
２３内側筒体
【図１】
2007071522.tif 000003
【図２】
2007071522.tif 000004
【図３】
2007071522.tif 000005
【図４】
2007071522.tif 000006
【図５】
2007071522.tif 000007
【図６】
2007071522.tif 000008